(57)【特許請求の範囲】
【請求項１】
走査線及びデータ線の交差部に位置する複数の画素を備え、パネルの中央部に位置する画素部と、
前記走査線に走査信号を供給し、前記パネルの一側に位置する走査駆動部と、
前記画素部及び走査駆動部に駆動電源及び制御信号を供給し、前記パネルの他側に位置し、前記走査駆動部にゲートハイレベル電圧ＶＧＨを供給する第１及び第２パッドＰ１，Ｐ２と、前記走査駆動部にゲートローレベル電圧ＶＧＬを供給する第３及び第４パッドＰ３，Ｐ４とを備えたパッド部と、
前記第１パッドから前記走査駆動部を経由して前記画素部を取り囲む形状に形成されて前記第２パッドに連結される第１電源供給ラインＶＧＨＬと、
前記第３パッドから前記走査駆動部を経由して前記画素部を取り囲む形状に形成されて前記第４パッドに連結される第２電源供給ラインＶＧＬＬと、
前記走査駆動部と対向するように前記パネル上に位置しており、前記走査線と平行に配置される発光制御線に発光制御信号を供給する、発光制御駆動部と、
を含み、
前記第１電源供給ラインは、前記第１パッドＰ１から前記走査駆動部及び前記発光制御駆動部を経由して前記画素部を取り囲む形状に形成されて前記第２パッドＰ２に連結され、
前記第２電源供給ラインは、前記第３パッドＰ３から前記走査駆動部及び前記発光制御駆動部を経由して前記画素部を取り囲む形状に形成されて前記第４パッドＰ４に連結され、
前記走査駆動部で生成される走査信号と前記発光制御駆動部で生成される発光制御信号のハイレベル電圧とは、前記ゲートハイレベル電圧に起因して生成され、
前記走査信号と前記発光制御信号のローレベル電圧とは、前記ゲートローレベル電圧に起因して生成され、
前記第１パッドＰ１、第２パッドＰ２、第３パッドＰ３、および第４パッドＰ４は、パッドの圧着面積が縮小設計されていることを特徴とする有機電界発光表示装置。
【請求項２】
前記走査駆動部と前記発光制御駆動部とは、前記画素部を間に挟んでそれぞれ前記パネルの左側又は右側に位置することを特徴とする請求項１に記載の有機電界発光表示装置。
【請求項３】
前記パッド部は前記パネルの下側に位置し、前記第１電源供給ライン及び前記第２電源供給ラインのそれぞれは前記パネルの上側ダミー領域を介して前記走査駆動部及び前記発光制御駆動部を連結することを特徴とする請求項１または２に記載の有機電界発光表示装置。
【請求項４】
前記画素部と前記パッド部との間に位置し、前記データ線にデータ信号を供給するデータ駆動部を更に含むことを特徴とする請求項１〜３のいずれか１項に記載の有機電界発光表示装置。
【請求項５】
前記第１パッドと前記第２パッドのそれぞれは、前記パネルの外部から同一のゲートハイレベル電圧ＶＧＨの供給を受け、前記第３パッドと前記第４パッドのそれぞれは、前記パネルの外部から同一のゲートローレベル電圧ＶＧＬの供給を受けることを特徴とする請求項１〜４のいずれか１項に記載の有機電界発光表示装置。
【請求項６】
前記第１パッドと前記第２パッドは、前記パッド部内で互いに異なる縁部領域に配置されることを特徴とする請求項１〜５のいずれか１項に記載の有機電界発光表示装置。
【請求項７】
前記第３パッドと前記第４パッドは、前記パッド部内で互いに異なる縁部領域に配置されることを特徴とする請求項１〜６のいずれか１項に記載の有機電界発光表示装置。
【請求項８】
前記第１電源供給ライン及び前記第２電源供給ラインは、前記パネル上に形成されるトランジスタのソース及びドレイン電極と同じ物質で同じレイヤに形成されることを特徴とする請求項１〜７のいずれか１項に記載の有機電界発光表示装置。
【請求項９】
前記第１電源供給ライン及び前記第２電源供給ラインは、前記パネル上に形成されるトランジスタのゲート電極と同じ物質で同じレイヤに形成されることを特徴とする請求項１〜７のいずれか１項に記載の有機電界発光表示装置。
【発明の詳細な説明】
【技術分野】
【０００１】
本発明は有機電界発光表示装置に関し、特に、走査駆動部を駆動するための駆動電源を安定して供給できるようにした有機電界発光表示装置に関する。
【背景技術】
【０００２】
有機電界発光表示装置（Ｏｒｇａｎｉｃ  Ｌｉｇｈｔ  Ｅｍｉｔｔｉｎｇ  Ｄｉｓｐｌａｙ  Ｄｅｖｉｃｅ）は、有機化合物を発光材料として用いた平板表示装置の一種であって、輝度及び色純度に優れているのはもちろん、軽量かつ薄型で低電力でも駆動が可能であり、携帯用表示装置をはじめとする多様な表示装置に有効に利用され得るものと期待されている。
【０００３】
このような有機電界発光表示装置は走査線及びデータ線の交差部に形成された複数の画素が備えられた画素部と、走査線に走査信号を供給する走査駆動部と、データ線にデータ信号を供給するデータ駆動部とを含む。
【０００４】
ここで、画素部、走査駆動部及びデータ駆動部は、一般に有機電界発光表示装置のパネル上に位置してパネルの一側に形成されたパッド部を介して駆動電源及び／又は駆動信号の供給を受ける。
【０００５】
例えば、画素部、走査駆動部及びデータ駆動部は、パッド部を介してパネル上にボンディングされたフィルム（Ｆｉｌｍ  Ｏｎ  Ｇｌａｓｓ、ＦＯＧ）やフレキシブルプリント回路基板（Ｆｌｅｘｉｂｌｅ  Ｐｒｉｎｔｅｄ  Ｃｉｒｃｕｉｔ  Ｂｏａｒｄ、  ＦＰＣＢ）などと電気的に連結されてＦＯＧ又はＦＰＣＢなどから駆動電源及び／又は駆動信号の供給を受ける。
【０００６】
但し、パッド部内にはそれぞれの駆動電源及び駆動信号を供給するためのパッドが１つずつ形成されるのが一般的であるが、仮にボンディング過程でパッドの圧着不良などが発生すれば、不良が発生したパッドを介して駆動電源又は駆動信号の供給を受ける画素部、走査駆動部又はデータ駆動部などが誤作動し得る。
【０００７】
特に、走査駆動部の駆動電源であるゲートハイレベル電圧ＶＧＨ及びゲートローレベル電圧ＶＧＬを供給するパッドは、パッド部の縁部領域に位置して圧着不良が発生しやすい。また、パッド部が形成されるパネル下端部のデッドスペースの縮小のためにパッドの圧着面積が縮小設計され得るが、この場合、走査駆動部に安定して駆動電源を供給し難いという問題がある。
【先行技術文献】
【特許文献】
【０００８】
【特許文献１】大韓民国特許公開第２００５−０１２２６９８号
【特許文献２】大韓民国特許公開第２００６−００４７６０７号
【特許文献３】大韓民国特許公開第２００４−０１０３８７０号
【発明の概要】
【発明が解決しようとする課題】
【０００９】
従って、本発明は上記事情に鑑みてなされたものであって、その目的は、走査駆動部を駆動するための駆動電源を安定して供給できるようにする有機電界発光表示装置を提供することにある。
【課題を解決するための手段】
【００１０】
このような目的を達成するために、本発明の一側面は、走査線及びデータ線の交差部に位置する複数の画素を備え、パネルの中央部に位置する画素部と、前記走査線に走査信号を供給し、前記パネルの一側に位置する走査駆動部と、前記画素部及び走査駆動部に駆動電源及び制御信号を供給し、前記パネルの他側に位置し、前記走査駆動部にゲートハイレベル電圧ＶＧＨを供給する第１及び第２パッドＰ１，Ｐ２と、前記走査駆動部にゲートローレベル電圧ＶＧＬを供給する第３及び第４パッドＰ３，Ｐ４を備えたパッド部と、前記第１パッドから前記走査駆動部を経由して前記画素部を取り囲む形状に形成されて前記第２パッドに連結される第１電源供給ラインＶＧＨＬと、前記第３パッドから前記走査駆動部を経由して前記画素部を取り囲む形状に形成されて前記第４パッドに連結される第２電源供給ラインＶＧＬＬと、前記走査駆動部と対向するように前記パネル上に位置しており、前記走査線と平行に配置される発光制御線に発光制御信号を供給する、発光制御駆動部と、を含み、前記第１電源供給ラインは、前記第１パッドＰ１から前記走査駆動部及び前記発光制御駆動部を経由して前記画素部を取り囲む形状に形成されて前記第２パッドＰ２に連結され、前記第２電源供給ラインは、前記第３パッドＰ３から前記走査駆動部及び前記発光制御駆動部を経由して前記画素部を取り囲む形状に形成されて前記第４パッドＰ４に連結され、前記走査駆動部で生成される走査信号と前記発光制御駆動部で生成される発光制御信号のハイレベル電圧とは、前記ゲートハイレベル電圧に起因して生成され、前記走査信号と前記発光制御信号のローレベル電圧とは、前記ゲートローレベル電圧に起因して生成され、前記第１パッドＰ１、第２パッドＰ２、第３パッドＰ３、および第４パッドＰ４は、パッドの圧着面積が縮小設計されていることを特徴とする有機電界発光表示装置を提供する。
【００１４】
更に、前記走査駆動部及び前記発光制御駆動部は、前記画素部を間に挟んでそれぞれ前記パネルの左側又は右側に位置し得る。
【００１５】
また、前記パッド部は前記パネルの下側に位置し、前記第１電源供給ライン及び前記第２電源供給ラインのそれぞれは前記パネルの上側ダミー領域を介して前記走査駆動部及び前記発光制御駆動部を連結できる。
【００１６】
更に、前記画素部と前記パッド部との間に位置し、前記データ線にデータ信号を供給するデータ駆動部を更に含むことができる。
【００１７】
また、前記第１パッド及び前記第２パッドのそれぞれは、外部から同一のゲートハイレベル電圧ＶＧＨの供給を受け、前記第３パッドと前記第４パッドのそれぞれは外部から同一のゲートローレベル電圧ＶＧＬの供給を受けることができる。
【００１８】
更に、前記第１パッド及び前記第２パッドは、前記パッド部内で互いに異なる縁部領域に配置され得る。
【００１９】
また、前記第３パッド及び前記第４パッドは、前記パッド部内で互いに異なる縁部領域に配置され得る。
【００２０】
更に、前記第１電源供給ライン及び前記第２電源供給ラインは、前記パネル上に形成されるトランジスタのソース及びドレイン電極と同じ物質で同じレイヤに形成され得る。
【００２１】
また、前記第１電源供給ライン及び前記第２電源供給ラインは、前記パネル上に形成されるトランジスタのゲート電極と同じ物質で同じレイヤに形成され得る。
【発明の効果】
【００２２】
以上にように、本発明によれば、走査駆動部の駆動電源として用いられるゲートハイレベル電圧及びゲートローレベル電圧を前記走査駆動部に安定して供給することで、走査駆動部の誤作動を防止できるという効果を奏する。
【図面の簡単な説明】
【００２３】
【図１】有機電界発光表示装置の一例を示すブロック図である。
【図２】図１に示す画素の一例を示す回路図である。
【図３】図２に示す画素の駆動方法を示す波形図である。
【図４】図１に示す走査駆動部に備えられたシフトレジスタの一例を示す回路図である。
【図５】図１に示す発光制御駆動部に備えられたシフトレジスタの一例を示す回路図である。
【図６】本発明の実施形態に係る有機電界発光表示装置のパネルを示す平面図である。
【発明を実施するための形態】
【００２４】
以下、添付する図面を参照して本発明の実施形態を更に詳細に説明する。
【００２５】
図１は、有機電界発光表示装置の一例を示すブロック図である。図１を参照すれば、有機電界発光表示装置は、走査駆動部１０、発光制御駆動部２０、データ駆動部３０及び画素部４０を含む。
【００２６】
走査駆動部１０は、外部から供給される駆動電源及び制御信号に対応して走査信号を生成し、これを走査線Ｓ１〜Ｓｎに順次供給する。すると、画素５０は走査信号により選択されて順次データ信号の供給を受ける。
【００２７】
発光制御駆動部２０は、走査線Ｓ１〜Ｓｎと平行に配置される発光制御線Ｅ１〜Ｅｎに外部から供給される駆動電源及び制御信号に対応して発光制御信号を順次供給する。すると、画素５０は発光制御信号により発光が制御される。
【００２８】
このような走査駆動部１０及び発光制御駆動部２０は、チップの形態でパネル上に別途に実装されることもできるが、画素部４０に含まれる駆動素子と共にパネル上に内蔵されるように形成されて内蔵回路部を構成できる。
【００２９】
一方、図１では走査駆動部１０及び発光制御駆動部２０が画素部４０を間に挟んで互いに対向する異なる側面に形成されたと示したが、これは単に一例を示すものであって、本発明が必ずしもこれに限定されるのではない。
【００３０】
例えば、これらは画素部４０の同じ側面に共に形成されるか、或いは画素部４０の両側に走査駆動部１０及び発光制御駆動部２０がそれぞれ形成されることもできる。
【００３１】
また、画素部４０に備えられる画素５０の構造によっては発光制御駆動部２０が省略されることもできる。
【００３２】
データ駆動部３０は、外部から供給されるデータ及び制御信号に対応してデータ信号を生成し、これをデータ線Ｄ１〜Ｄｍに供給する。データ線Ｄ１〜Ｄｍに供給されたデータ信号は、走査信号が供給される度に走査信号により選択された画素５０に供給される。すると、画素５０はデータ信号に対応する電圧を充電する。
【００３３】
画素部４０は、走査線Ｓ１〜Ｓｎ、発光制御線Ｅ１〜Ｅｎ及びデータ線Ｄ１〜Ｄｍの交差部に位置する多数の画素５０を含む。
【００３４】
このような画素部４０は、外部から高電位画素電源である第１電源ＥＬＶＤＤと低電位画素電源である第２電源ＥＬＶＳＳの供給を受け、第１電源ＥＬＶＤＤ及び第２電源ＥＬＶＳＳはそれぞれの画素５０に伝達される。また、画素部４０は、画素５０の構造によっては初期化電源Ｖｉｎｉｔや参照電圧Ｖｒｅｆなどを追加で供給されることもできる。
【００３５】
すると、画素５０は、データ信号に対応して第１電源ＥＬＶＤＤから第２電源ＥＬＶＳＳに流れる駆動電流に相応する輝度で発光して映像を表示する。
【００３６】
図２は、図１に示す画素の一例を示す回路図である。便宜上、図２でもｉ（ｉは自然数）番目の行及びｊ（ｊは自然数）番目の列に位置し、初期化及び閾値電圧補償が行われる画素を示す。しかしながら、本発明はこれに限定されるのではなく、本発明は現在までに開発された多様な構造の画素に適用され得る。
【００３７】
図２を参照すれば、本実施形態に係る画素５０は、複数のトランジスタＴ１〜Ｔ６とストレージキャパシタＣｓｔを含む画素回路部５２と、画素回路部５２から駆動電流の供給を受ける有機発光ダイオードＯＬＥＤとを含む。
【００３８】
画素回路部５２は、第ｉ−１走査線（以下、以前走査線Ｓｉ−１と称する）から第ｉ−１走査信号（以下、以前走査信号ＳＳｉ−１と称する）が供給される時、ストレージキャパシタＣｓｔに格納された電圧を初期化し、第ｉ走査線（以下、現在走査線Ｓｉと称する）から第ｉ走査信号（以下、現在走査信号ＳＳｉと称する）が供給される時、データ信号Ｖｄａｔａと第１トランジスタＴ１の閾値電圧に対応する電圧を充電した後、第１トランジスタＴ１の閾値電圧と関係なく、データ信号Ｖｄａｔａに対応する駆動電流を有機発光ダイオードＯＬＥＤに供給する。
【００３９】
この場合、図１には示していないが、それぞれの画素５０は現在走査線Ｓｉだけでなく、以前走査線Ｓｉ−１に連結されることができ、第１走査線Ｓ１の以前行には第１行目の画素５０を初期化するための第０の走査線Ｓ０が更に配列され得る。そして、画素部５０内にはそれぞれの画素５０に初期化電源Ｖｉｎｉｔを供給するための初期化電源線が更に形成され得る。
【００４０】
画素回路部５２は、現在走査線Ｓｉ、以前走査線Ｓｉ−１、発光制御線Ｅｉ、データ線Ｄｊ、第１電源ＥＬＶＤＤ、初期化電源Ｖｉｎｉｔ及び有機発光ダイオードＯＬＥＤに連結され、第１〜第６トランジスタＴ１〜Ｔ６と、ストレージキャパシタＣｓｔとを含む。
【００４１】
第１トランジスタＴ１は、第１電源ＥＬＶＤＤと有機発光ダイオードＯＬＥＤとの間に接続されて自身のゲート電極に印加される電圧に対応して駆動電流を調節する。
【００４２】
より具体的に、第１トランジスタＴ１の第１電極（例えば、ソース電極）は第６トランジスタＴ６を経由して第１電源ＥＬＶＤＤに接続され、第２電極（例えば、ドレイン電極）は第５トランジスタＴ５を経由して有機発光ダイオードＯＬＥＤに接続される。そして、第１トランジスタＴ１のゲート電極は第１ノードＮ１に接続される。このような第１トランジスタＴ１は第１ノードＮ１の電圧、即ち、ストレージキャパシタＣｓｔに充電された電圧に対応して有機発光ダイオードＯＬＥＤに供給される駆動電流を調節する。
【００４３】
第２トランジスタＴ２は、データ線ＤｊとストレージキャパシタＣｓｔとの間に接続され、現在走査線Ｓｉから現在走査信号ＳＳｉが供給される時にターンオンされてデータ信号を画素５０の内部に伝達する。
【００４４】
より具体的に、第２トランジスタＴ２の第１電極はデータ線Ｄｊに接続され、第２電極は第１及び第３トランジスタＴ１，Ｔ３を経由してストレージキャパシタＣｓｔに接続される。そして、第２トランジスタＴ２のゲート電極は、現在走査線Ｓｉに接続される。このような第２トランジスタＴ２は、現在走査線Ｓｉから現在走査信号ＳＳｉが供給される時にターンオンされてデータ線Ｄｊから供給されるデータ信号Ｖｄａｔａを第１及び第３トランジスタＴ１，Ｔ３を経由してストレージキャパシタＣｓｔに伝達する。
【００４５】
第３トランジスタＴ３は、第１トランジスタＴ１のゲート電極と第２電極（ドレイン電極）との間に接続され、自身のゲート電極に印加される電圧に対応して第１トランジスタＴ１をダイオード連結する。
【００４６】
より具体的に、第３トランジスタＴ３の第１電極は、第１トランジスタＴ１の第２電極に接続され、第２電極は第１トランジスタＴ１のゲート電極に接続される。そして、第３トランジスタＴ３のゲート電極は、現在走査線Ｓｉに接続される。このような第３トランジスタＴ３は、現在走査線Ｓｉから現在走査信号ＳＳｉが供給される時にターンオンされて第１トランジスタＴ１をダイオード連結する。
【００４７】
第４トランジスタＴ４は、ストレージキャパシタＣｓｔと初期化電源Ｖｉｎｉｔとの間に接続され、以前走査信号ＳＳｉ−１によりターンオンされてストレージキャパシタＣｓｔに初期化電源Ｖｉｎｉｔの電圧を伝達する。
【００４８】
ここで、初期化電源Ｖｉｎｉｔは、第１電源ＥＬＶＤＤ及び第２電源ＥＬＶＳＳと異なり、電流パスを形成しない電源であって、現在走査線Ｓｉに現在走査信号ＳＳｉが供給される以前の期間（例えば、以前走査線Ｓｉ−１に以前走査信号ＳＳｉ−１が供給される期間）に画素回路部５２に定電圧を供給する電源である。このような初期化電源Ｖｉｎｉｔは、データ信号Ｖｄａｔａの電圧より低い電圧、即ち、データ信号Ｖｄａｔａの最低電圧より低い電圧を有するように設定される。
【００４９】
即ち、第４トランジスタＴ４がターンオンされれば、第１ノードＮ１の電圧がデータ信号Ｖｄａｔａの電圧より低い電圧に初期化されて、後続するデータ信号Ｖｄａｔａの書き込み期間に第１トランジスタＴ１が順方向にダイオード連結されながらデータ信号Ｖｄａｔａが第１ノードＮ１に円滑に供給される。
【００５０】
より具体的に、第４トランジスタＴ４の第１電極は第１ノードＮ１に接続され、第２電極は初期化電源Ｖｉｎｉｔに接続される。そして、第４トランジスタＴ４のゲート電極は以前走査線Ｓｉ−１に接続される。このような第４トランジスタＴ４は、以前走査線Ｓｉ−１から以前走査信号ＳＳｉ−１が供給される時にターンオンされて初期化電源Ｖｉｎｉｔと第１ノードＮ１を接続させる。すると、初期化電源Ｖｉｎｉｔの電圧が第１ノードＮ１に印加されながら、第１ノードＮ１の電圧が初期化される。
【００５１】
第５トランジスタＴ５は、第１トランジスタＴ１と有機発光ダイオードＯＬＥＤとの間に接続され、発光制御線Ｅｉから供給される発光制御信号ＥＭＩｉによりオンオフが制御される。
【００５２】
より具体的に、第５トランジスタＴ５の第１電極は、第１トランジスタＴ１の第２電極に接続され、第２電極は有機発光ダイオードＯＬＥＤのアノード電極に接続される。そして、第５トランジスタＴ５のゲート電極は発光制御線Ｅｉに接続される。このような第５トランジスタＴ５は、発光制御線Ｅｉから供給される発光制御信号ＥＭＩｉの電圧レベルがハイレベルである時にターンオフされて画素回路部５２と有機発光ダイオードＯＬＥＤを絶縁させ、発光制御信号ＥＭＩｉの電圧レベルがローレベルに遷移すればターンオンされて第１トランジスタＴ１から供給される駆動電流を有機発光ダイオードＯＬＥＤに伝達する。
【００５３】
第６トランジスタＴ６は、第１電源ＥＬＶＤＤと第１トランジスタＴ１との間に接続され、発光制御線Ｅｉから供給される発光制御信号ＥＭＩｉによりオンオフが制御される。
より具体的に、第６トランジスタＴ６の第１電極は、第１電源ＥＬＶＤＤに接続され、第２電極は第１トランジスタＴ１の第１電極に接続される。そして、第６トランジスタＴ６のゲート電極は、発光制御線Ｅｉに接続される。このような第６トランジスタＴ６は、発光制御線Ｅｉから供給される発光制御信号ＥＭＩｉの電圧レベルがハイレベルである時にターンオフされて第１トランジスタＴ１と第１電源ＥＬＶＤＤを絶縁させ、発光制御信号ＥＭＩｉの電圧レベルがローレベルに遷移すればターンオンされて第１トランジスタＴ１と第１電源ＥＬＶＤＤを連結する。
【００５４】
ストレージキャパシタＣｓｔは、第１トランジスタＴ１のゲート電極と第１電源ＥＬＶＤＤとの間に接続される。このようなストレージキャパシタＣｓｔは以前走査信号ＳＳｉ−１が供給される期間に初期化電源Ｖｉｎｉｔにより初期化され、現在走査信号ＳＳｉが供給される期間にデータ信号Ｖｄａｔａと第１トランジスタＴ１の閾値電圧に対応する電圧を充電した後、画素５０が発光する期間に充電された電圧を維持する。
【００５５】
有機発光ダイオードＯＬＥＤは画素回路部５２と第２電源ＥＬＶＳＳとの間に接続されて、第１電源ＥＬＶＤＤから画素回路部５２及び自身を経由して第２電源ＥＬＶＳＳに流れる駆動電流に対応する輝度で発光する。このような有機発光ダイオードＯＬＥＤは、赤色、緑色又は青色の光を発する有機発光層を含んでこれに対応する光成分を生成する。
【００５６】
図３は、図２に示す画素の駆動方法を示す波形図である。
【００５７】
図３を参照すれば、画素５０は、以前走査線Ｓｉ−１及び現在走査線Ｓｉからローレベルの以前走査信号ＳＳｉ−１及び現在走査信号ＳＳｉを順次供給され、発光制御線Ｅｉから以前走査信号ＳＳｉ−１及び現在走査信号ＳＳｉと重なるハイレベルの発光制御信号ＥＭＩｉが供給される。
【００５８】
ここで、発光制御信号ＥＭＩｉは、以前走査信号ＳＳｉ−１と現在走査信号ＳＳｉが供給される期間に第５トランジスタＴ５及び第６トランジスタＴ６がターンオフされるハイレベルの電圧を維持し、現在走査信号ＳＳｉの供給が完了した後、第５トランジスタＴ５及び第６トランジスタＴ６がターンオンされるローレベルの電圧に遷移される。
【００５９】
一方、画素５０は、外部から第１電源ＥＬＶＤＤ、第２電源ＥＬＶＳＳ及び初期化電源Ｖｉｎｉｔの供給を受け、データ線Ｄｊからデータ信号Ｖｄａｔａの供給を受ける。
【００６０】
このような画素５０の動作をより具体的に説明すれば、まず以前走査線Ｓｉ−１にローレベルの以前走査信号ＳＳｉ−１が供給される第１期間ｔ１に第４トランジスタＴ４がターンオンされる。すると、初期化電源Ｖｉｎｉｔの電圧が第１ノードＮ１に伝達されて第１ノードＮ１の電圧が初期化され、これにより、ストレージキャパシタＣｓｔに格納された電圧も初期化される。即ち、第１期間ｔ１は第１ノードＮ１の電圧を初期化する期間に設定される。
【００６１】
その後、現在走査線Ｓｉにローレベルの現在走査信号ＳＳｉが供給される第２期間ｔ２に第２トランジスタＴ２及び第３トランジスタＴ３がターンオンされる。第２トランジスタＴ２及び第３トランジスタＴ３がターンオンされれば、データ線Ｄｊから供給されるデータ信号Ｖｄａｔａが第２トランジスタＴ２、第１トランジスタＴ１及び第３トランジスタＴ３を経由して第１ノードＮ１に伝達される。このとき、第１トランジスタＴ１は第３トランジスタＴ３によりダイオード連結されるので、第１ノードＮ１にはデータ信号Ｖｄａｔａと共に、第１トランジスタＴ１の閾値電圧が反映された電圧が伝達される。このとき、ストレージキャパシタＣｓｔにはデータ信号Ｖｄａｔａと第１トランジスタＴ１の閾値電圧に対応する電圧が充電される。
【００６２】
その後、発光制御線Ｅｉに供給される発光制御信号ＥＭＩｉの電圧レベルがローレベルに遷移される第３期間ｔ３に第５トランジスタＴ５及び第６トランジスタＴ５，Ｔ６がターンオンされる。
【００６３】
すると、ストレージキャパシタＣｓｔに充電された電圧に対応する駆動電流が第１トランジスタＴ１により有機発光ダイオードＯＬＥＤに供給される。
【００６４】
このとき、第１トランジスタＴ１の閾値電圧が相殺されながら、有機発光ダイオードＯＬＥＤには第１トランジスタＴ１の閾値電圧と関係なく、データ信号Ｖｄａｔａに対応する駆動電流が供給される。従って、有機発光ダイオードＯＬＥＤは、第１トランジスタＴ１の閾値電圧と関係なく、データ信号Ｖｄａｔａに対応する均一な輝度で発光する。
【００６５】
ここで、画素５０を駆動する以前走査信号ＳＳｉ−１及び現在走査信号ＳＳｉは、図１に示す走査駆動部１０により生成され、発光制御信号ＥＭＩｉは発光制御駆動部２０により生成される。
【００６６】
図４は、図１に示す走査駆動部に備えられたシフトレジスタの一例を示す回路図である。そして、図５は、図１に示す発光制御駆動部に備えられたシフトレジスタの一例を示す回路図である。特に、図４及び図５は、それぞれ走査駆動部及び発光制御駆動部のシフトレジスタに備えられた多数のステージのうち、第ｉ番目のステージの構成を示す回路図である。
【００６７】
図４は、韓国登録特許第０７５９６８６号に開示されたシフトレジスタのステージ回路を示すものであって、前記ステージの出力信号、即ち、走査信号のハイレベル電圧はシフトレジスタの第１電源ＶＤＤに起因し、走査信号のローレベル電圧はシフトレジスタの第２電源ＶＳＳに起因する。
【００６８】
ここで、シフトレジスタの第１電源ＶＤＤ及び第２電源ＶＳＳは、前記シフトレジスタを含む走査駆動部の駆動電源を意味するものであって、これは名称が異なって記載されただけで、実際にはそれぞれの走査駆動部に供給されるゲートハイレベル電圧ＶＧＨ及びゲートローレベル電圧ＶＧＬに対応する。
【００６９】
また、図５は、韓国公開特許第２００８−００３３６３０号に開示されたシフトレジスタのステージＳＴｉ回路を示すものであって、前記ステージＳＴｉの出力信号、即ち、発光制御信号ＥＭＩｉのハイレベル電圧は発光制御駆動部の第１電源ＶＤＤに起因し、発光制御信号ＥＭＩｉのローレベル電圧は発光制御駆動部の第２電源ＶＳＳに起因する。
【００７０】
ここで、発光制御駆動部は走査駆動部内に内蔵されるか、或いは走査駆動部と別途に生成され得るものであって、走査駆動部と発光制御駆動部は、同一の第１電源ＶＤＤ及び第２電源ＶＳＳ、即ち、同一のゲートハイレベル電圧ＶＧＨ及びゲートローレベル電圧ＶＧＬにより駆動され得る。
【００７１】
従って、走査駆動部及び発光制御駆動部が正常に画素を駆動するためには、これらにゲートハイレベル電圧ＶＧＨ及びゲートローレベル電圧ＶＧＬが安定して供給されなければならない。
【００７２】
しかしながら、外部からのゲートハイレベル電圧ＶＧＨ及びゲートローレベル電圧ＶＧＬを走査駆動部及び／又は発光制御駆動部に供給するパッドは、パッド部の縁部領域に位置して圧着不良が発生しやすい。また、パッド部が形成されるパネル下端部のデッドスペースの縮小のためにパッドの圧着面積が縮小設計される場合、走査駆動部及び／又は発光制御駆動部に安定してゲートハイレベル電圧ＶＧＨ及びゲートローレベル電圧ＶＧＬを供給し難いこともあり得る。
【００７３】
従って、本発明では走査駆動部及び／又は発光制御部を駆動するためのゲートハイレベル電圧ＶＧＨ及びゲートローレベル電圧ＶＧＬを安定して供給できるように設計された有機電界発光表示装置を提示し、これについての詳細な説明は図６を参照して後述する。
【００７４】
図６は、本発明の実施形態に係る有機電界発光表示装置のパネルを示す平面図である。
【００７５】
図６を参照すれば、本発明の実施形態に係る有機電界発光表示装置のパネル１は、中央部に位置する画素部４０と、パネル１の一側に位置する走査駆動部１０と、画素部４０を基準に走査駆動部１０と対向するようにパネル１上に位置する発光制御駆動部２０と、パネル１の他側に位置するパッド部６０と、画素部４０とパッド部６０との間に位置するデータ駆動部３０とを含む。
【００７６】
図６において、走査駆動部１０は画素部４０の左側、即ち、パネル１の左側に位置し、発光制御駆動部２０は画素部４０の右側、即ち、パネル１の右側に位置すると示したが、本発明はこれに限定されるのではない。
【００７７】
例えば、走査駆動部１０がパネル１の右側に位置し、発光制御駆動部２０はパネル１の左側に位置してもよい。即ち、走査駆動部１０と発光制御駆動部２０は、画素部４０を間に挟んでそれぞれパネル１の左側又は右側に位置し得る。
【００７８】
また、本実施形態では走査駆動部１０と発光制御駆動部２０を分離し、これらが画素部４０を基準に互いに対向するように位置すると示したが、これらは１つの走査駆動部に統合されて画素部４０の一側又は両側に形成されることもでき、画素構造によっては発光制御駆動部２０が省略され得る。
【００７９】
一方、パッド部６０は走査駆動部１０及び発光制御駆動部２０が位置していないパネル１の他側の縁部、例えば、下側縁部に位置し、パネル１の内部に駆動電源及び制御信号を供給するための複数のパッドＰを備える。
【００８０】
このようなパッドＰを介して画素部４０、走査駆動部１０、発光制御駆動部２０及びデータ駆動部３０に駆動電源及び制御信号が供給される。
【００８１】
但し、本発明において、走査駆動部１０及び発光制御駆動部２０にゲートハイレベル電圧ＶＧＨを供給するパッドと、前記走査駆動部１０及び発光制御駆動部２０にゲートローレベル電圧ＶＧＬを供給するパッドはそれぞれ複数備えられる。
【００８２】
例えば、パッド部６０は、走査駆動部１０及び発光制御駆動部２０にゲートハイレベル電圧ＶＧＨを供給する第１及び第２パッドＰ１，Ｐ２と、走査駆動部１０及び発光制御駆動部２０にゲートローレベル電圧ＶＧＬを供給する第３及び第４パッドＰ３，Ｐ４を含むことができる。このとき、第１パッドＰ１と第２パッドＰ２は、パッド部６０内の互いに異なる縁部領域に配置されることができ、第３パッドＰ３と第４パッドＰ４もパッド部６０内の互いに異なる縁部領域に配置されることができる。
【００８３】
そして、パネル１上には、第１パッドＰ１から走査駆動部１０と発光制御駆動部２０を経由して第２パッドＰ２に連結され、画素部４０を取り囲む形状に形成される第１電源供給ラインＶＧＨＬと、第３パッドＰ３から走査駆動部１０と発光制御駆動部２０を経由して第４パッドＰに連結され、画素部４０を取り囲む形状形成置される第２電源供給ラインＶＧＬＬが形成される。
【００８４】
即ち、第１電源供給ラインＶＧＨＬと第２電源供給ラインＶＧＬＬは、パッド部６０と対向するパネル１の上側ダミー領域を介して走査駆動部１０と発光制御駆動部２０を連結する。
【００８５】
従って、走査駆動部１０で生成される走査信号と発光制御駆動部２０で生成される発光制御信号のハイレベル電圧は、第１電源供給ラインＶＧＨＬから供給される同一のゲートハイレベル電圧ＶＧＨに起因して同じレベルで生成され、前記走査信号と発光制御信号のローレベル電圧は、第２電源供給ラインＶＧＬＬから供給される同一のゲートローレベル電圧ＶＧＬに起因して同じレベルで生成される。
【００８６】
特に、本発明では、第１又は第２パッドＰ１，Ｐ２のいずれか１つにのみ外部からのゲートハイレベル電圧ＶＧＨを供給するのではなく、第１パッドＰ１と第２パッドＰ２の両方に同一のゲートハイレベル電圧ＶＧＨを供給する。
【００８７】
これにより、仮に第１又は第２パッドＰ１，Ｐ２のいずれか１つのパッドに圧着不良が発生するとしても他のパッドを介して走査駆動部１０及び発光制御駆動部２０にゲートハイレベル電圧ＶＧＨを正常に供給できる。
【００８８】
また、第１電源供給ラインＶＧＨＬを介して第１及び第２パッドＰ１，Ｐ２と走査駆動部１０及び発光制御駆動部２０がいずれも連結されるため、走査駆動部１０及び発光制御駆動部２０に同じレベルのゲートハイレベル電圧ＶＧＨを供給でき、パネル１を安定して駆動できる。
【００８９】
また、本発明では第１及び第２パッドＰ１，Ｐ２の場合と同様に、第３パッドＰ３と第４パッドＰ４の両方に同一のゲートローレベル電圧ＶＧＬを供給し、これにより、走査駆動部１０及び発光制御駆動部２０に同じレベルのゲートローレベル電圧ＶＧＬを正常に供給できる。
【００９０】
即ち、本発明によれば、走査駆動部１０及び発光制御駆動部２０に同じレベルのゲートハイレベル電圧ＶＧＨ及びゲートローレベル電圧ＶＧＬを安定して供給できる。
【００９１】
一方、パネル１内での電圧降下を最小化するために、第１電源供給ラインＶＧＨＬ及び第２電源供給ラインＶＧＬＬは低抵抗物質で形成されることができる。
【００９２】
例えば、第１電源供給ラインＶＧＨＬ及び第２電源供給ラインＶＧＬＬは、パネル１上に形成されるトランジスタ（例えば、画素部４０、走査駆動部１０及び／又は発光制御駆動部２０に備えられたトランジスタ）のソース及びドレイン電極と同じ物質で同じレイヤに形成されるか、前記トランジスタのゲート電極と同じ物質で同じレイヤに形成されることもできる。
【００９３】
また、第１電源供給ラインＶＧＨＬ及び第２電源供給ラインＶＧＬＬは、一部領域では前記トランジスタのソース及びドレイン電極と同じ物質で形成され、他の領域では前記トランジスタのゲート電極と同じ物質で形成されるなど、前記トランジスタのソース及びドレイン電極物質やゲート電極物質を両方用いて形成されることもできる。即ち、第１電源供給ラインＶＧＨＬ及び第２電源供給ラインＶＧＬＬは、パネル１を形成するのに用いられる物質のうち、低抵抗物質を選択して自由に設計され得る。
【００９４】
以上説明したように、本発明の最も好ましい実施の形態について説明したが、本発明は、上記記載に限定されるものではなく、特許請求の範囲に記載され、又は明細書に開示された発明の要旨に基づき、当業者において様々な変形や変更が可能なのはもちろんであり、斯かる変形や変更が、本発明の範囲に含まれることは言うまでもない。
【符号の説明】
【００９５】
１  パネル、
１０  走査駆動部、
２０  発光制御駆動部、
３０  データ駆動部、
４０  画素部、
５０  画素、
６０  パッド部。
【図１】
0005552336.tif 000002
【図２】
0005552336.tif 000003
【図３】
0005552336.tif 000004
【図４】
0005552336.tif 000005
【図５】
0005552336.tif 000006
【図６】
0005552336.tif 000007